【事件の表示】
　特願２０１４−５１６２４１「自動車用のレーダシステム並びにレーダシステムを有する自動車」拒絶査定不服審判事件〔平成２５年　１月１０日国際公開、ＷＯ２０１３／００４４１８、平成２６年　９月２５日国内公表、特表２０１４−５２５０３１〕について、次のとおり審決する。
【結　論】
　本件審判の請求は、成り立たない。
【理　由】
第１　手続の経緯
　本願は、２０１２年５月８日（パリ条約に基づく優先権主張：平成２０１１年７月５日（以下、「優先日」という。）、独国）を国際出願日とする出願であって、平成２６年９月３０日付けで拒絶理由が通知され、平成２７年４月３日付けで手続補正がなされたが、平成２７年９月８日付けで拒絶査定がなされ、これに対し、平成２８年１月８日に拒絶査定不服審判が請求され、同時に手続補正がなされたものである。
第２　平成２８年１月８日にされた手続補正についての補正却下の決定
［補正却下の決定の結論］
平成２８年１月８日された手続補正（以下、「本件補正」という。）を却下する。
［理由］
１　補正の内容
（１）本件補正後の特許請求の範囲
　本件補正により、特許請求の範囲の請求項１の記載は、次のとおり補正された（下線部は、補正箇所である。）
「【請求項１】
　レーダ光線を送信および受信する少なくとも２つのレーダセンサ（４ａ，４ｂ，４ｃ，４ｄ）を有す
る自
の自
れ共
複数の位相制御式の
複数の位相制御式の
振幅変調及び／又は位相変調により
に−
に
　前記レーダセンサ（４ａ，４ｂ，４ｃ，４ｄ）のうちの少なくとも１つ
がこ
前記複数の位相制御式の
　少なくとも１つの前記レーダセンサ（４ａ，４ｂ，４ｃ，４ｄ）
が有する前記複数の位相制御式の
それぞれの
　前記制御装置（Ｓ）は、少なくとも１つのレーダセンサ（４ａ，４ｂ，４ｃ，４ｄ）
が有する前記複数の位相制御式の
それぞれの
で振幅変調及び／又は位相変調により旋回させて
に構
　少なくとも１つのレーダセンサ（４ａ，４ｂ，４ｃ，４ｄ）
が有する前記複数の位相制御式の
がそ
に
る
　
ことを特徴とする
（２）本件補正前の特許請求の範囲
　本件補正前の平成２７年４月３日付けの手続補正により補正された特許請求の範囲の請求項１及び請求項３の記載は次のとおりである。
「【請求項１】
　レーダ光線を送信および受信する少なくとも２つのレーダセンサ（４ａ，４ｂ，４ｃ，４ｄ）を有する、自動車（２）の周辺状況を監視するための、自動車（２）用のレーダシステム（１）において、前記少なくとも２つのレーダセンサ（４ａ，４ｂ，４ｃ，４ｄ）がそれぞれ、共通の軸線（３）に対して４０°から５０°の間の角度（１００）で配置されていて、前記少なくとも２つのレーダセンサ（４ａ，４ｂ，４ｃ，４ｄ）がそれぞれ少なくとも１つのアンテナを有しており、前記少なくとも２つのレーダセンサ（４ａ，４ｂ，４ｃ，４ｄ）は、前記アンテナがそれぞれ、各レーダセンサ（４ａ，４ｂ，４ｃ，４ｄ）の主投射方向（５２ａ）に対して相対的に、−６０°から＋６０°の角度（１０１）である旋回可能な視野（５１，５２，５３）を有するように構成されており、前記レーダセンサ（４ａ，４ｂ，４ｃ，４ｄ）のうちの少なくとも１つが、これらのレーダセンサの方向に関連して少なくとも２つの異なる視野を概ね同時に少なくとも１つのアンテナに提供するように構成されており、少なくとも１つの前記レーダセンサ（４ａ，４ｂ，４ｃ，４ｄ）の少なくとも１つのアンテナの視野（５１，５２，５３）を制御するための制御装置（Ｓ）が配置されており、前記制御装置（Ｓ）は、少なくとも１つのレーダセンサ（４ａ，４ｂ，４ｃ，４ｄ）の少なくとも１つのアンテナの前記視野（５１，５２，５３）を少なくとも１つのレーダセンサ（４ａ，４ｂ，４ｃ，４ｄ）の主投射方向（５２ａ）に関連して＋４５°から０°、０°から−４５°の間に調節するように、構成されており、少なくとも１つのレーダセンサ（４ａ，４ｂ，４ｃ，４ｄ）の少なくとも１つのアンテナが、それぞれのレーダセンサ（４ａ，４ｂ，４ｃ，４ｄ）の主投射方向（５２ａ）に対して相対的に異なる角度（１０１）のための、異なって構成された視野を有している、自動車（２）のためのレーダシステム（１）。」
「【請求項３】
　少なくとも１つのレーダセンサ（４ａ，４ｂ，４ｃ，４ｄ）が複数の位相制御式のアンテナを有しており、これらのアンテナのそれぞれの視野（５１，５２，５３）が振幅変調および／または位相変調によって旋回可能である、請求項１または２に記載の自動車のためのレーダシステム。」
２　補正の適否
　本件補正前の請求項１を引用する請求項３に記載された発明と、本件補正後の請求項１に記載された発明とを比較すると、本件補正は、
（限定１）：本件補正前の請求項１を引用する請求項３に記載された発明を特定するための必要な事項である「
少なくとも１つのアンテナ
（限定２）：本件補正前の請求項１を引用する請求項３に記載した発明を特定するための必要な事項である「前記少なくとも２つのレーダセンサ（４ａ，４ｂ，４ｃ，４ｄ）がそれぞれ少なくとも１つのアンテナを有しており、前記少なくとも２つのレーダセンサ（４ａ，４ｂ，４ｃ，４ｄ）は、前記アンテナがそれぞれ、各レーダセンサ（４ａ，４ｂ，４ｃ，４ｄ）の主投射方向（５２ａ）に対して相対的に、−６０°から＋６０°の角度（１０１）である旋回可能な視野（５１，５２，５３）を有するように構成されており」（本件補正前の請求項１）、「
少なくとも１つのレーダセンサ
少なくとも２つのレーダセンサ
少なくとも２つのレーダセンサ
（限定３）：本件補正前の請求項１を引用する請求項３に記載した発明を特定するための必要な事項である「少なくとも１つのレーダセンサ（４ａ，４ｂ，４ｃ，４ｄ）の
少なくとも１つのアンテナが
主投射方向（５２ａ）に対して相対的に異なる角度（１０１）のための、異なって構成された視野を有し
複数の位相制御式のアンテナが
主投射方向（５２ａ）に対して相対的に異なる角度（１０１）に構成された視野を有し
　よって、本件補正は、特許法第１７条の２第５項第２号に掲げる事項（特許請求の範囲の減縮）を目的とするものに該当する。
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１（１）に記載したとおりのものである。
（２）引用例の記載事項
　原査定の拒絶の理由で引用された、本願の優先日前に頒布された刊行物である、国際公開第２０１１／０６６９９３号（平成２３年６月９日国際公開、以下、「引用例１」という。）には、図面とともに、次の事項が記載されいる（当審の翻訳は、引用例１のパテントファミリーである、特表２０１３−５１３０９３号公報によるものであって、訳文中の段落番号は該公報に記載された段落番号である（ただし、段落【００３７】に「アンテナアレイまたはアンテナ行列」と記載されている箇所については、段落【００３９】の記載と統一を図るため、「Antennenmatrix (Array)」を「アンテナ行列（アレイ）」と翻訳した。）。また、ウムラウトの付いた「a」「o」「u」を、それぞれ「'a'」「'o'」「'u'」と記載し、エスツェットを「ss」と記載した。下線は、当審で付与したものである。）。
（ア）「Ein erfindungsgem'a'sses 
Kraftfahrzeug umfasst eine erfindungsgem'a'sse Fahrerassistenzeinrichtung. Das Kraftfahrzeug ist bevorzugt ein Personenkraftwagen.
 
Die Fahrerassistenzeinrichtung kann
ein 'U'berwachungssystem f'u'r einen Totwinkelbereich des Kraftfahrzeugs und/oder ein Unfallfr'u'herkennungssystem, insbesondere f'u'r die Auffahrunf'a'lle von hinten und/oder ein ACC(Additive Course Control)-System sein.
【００２７】
  本発明によるによる
車両は、本発明による運転者支援デバイスを備えている。この車両は、旅客自動車であることが望ましい。
【００２８】
  １つの例として、
運転者支援デバイスは、自動車の死角範囲に対する監視システム、および／または事故早期警告システム（特に、後方からの衝突に関わる事故）、および／またはＡＣＣ（車間自動制御システム：Ａｄｄｉｔｉｖｅ  Ｃｏｕｒｓｅ  Ｃｏｎｔｒｏｌ）システム）であってよい。）
（イ）「Ein in Fig. 1 dargestelltes 
Kraftfahrzeug 1 umfasst eine Fahrerassistenzeinrichtung 2
Die Fahrerassistenzeinrichtung 2 umfasst ein erstes Radarger'a't 3 sowie ein zweites Radarger'a't 4. Das erste Radarger'a't 3 ist in einer linken Ecke eines hinteren Stossf'a'ngers und das zweite Radarger'a't 4 in einer rechten Ecke desselben Stossf'a'ngers angeordnet. Das erste und das zweite Radarger'a't 3, 4 sind Frequenzmodulation-Dauerstrich-Radarger'a'te (Frequency Modulated Continuous Wave Radar, FMCW-Radar). 
 
Das erste und das zweite Radarger'a't 3, 4 sind mit einer Signalverarbeitungseinrichtung 5 gekoppelt. 
 
Das erste Radarger'a't 3 weist einen ersten Erfassungsbereich 7 auf. Der Erfassungsbereich 7 ist in horizontaler Richtung durch einen Azimutwinkelbereich α definiert, welcher in Fig. 1 durch zwei Linien 7a, 7b begrenzt ist. Entsprechend weist das zweite Radarger'a't 4 einen Erfassungsbereich 8 auf, welcher durch einen entsprechenden Azimutwinkelbereich α definiert ist, n'a'mlich in horizontaler Richtung. Der Azimutwinkelbereich α ist durch zwei Linien 8a, 8b begrenzt. Die Azimutwinkelbereiche α betragen im Ausf'u'hrungsbeispiel etwa 170°. Die Erfassungsbereiche 7, 8 der Radarger'a'te 3, 4 'U'berschneiden sich, sodass ein 'U'berlappungsbereich 9 gegeben ist. Der 'U'berlappungsbereich 9 ist durch die Linien 7b, 8b winkelig begrenzt. Im Ausf'u'hrungsbeispiel betr'a'gt ein 'O'ffnungswinkel βdes 'U'berlappungsbereichs 9 etwa 70°. 
 
In ihren jeweiligen Erfassungsbereichen 7, 8 k'o'nnen die Radarger'a'te 3, 4 Objekte orten.
Fig. 2 zeigt ein Blockschaltbild 
eines einzelnen Radarger'a'ts 3, 4 einschliesslich der Signalverarbeitungseinheit 5. Das Radarger'a't 3, 4 umfasst eine Sendeantenneneinheit 13, die eine Antennengruppe bzw. Antennenmatrix (Array) sein und ein Vielzahl von Patch-Antennen umfassen kann. 
 
Der lokale Oszillator 15 wird durch die Signalverarbeitungseinheit 5 angesteuert. Der Oszillator 15 ist zum Beispiel ein spannungsgesteuerter Oszillator (Voltage Control Oszillator), welcher das Sendesignal S0 mit einer solchen Frequenz erzeugt, die abh'a'ngig von der Amplitude einer von der Signalverarbeitungseinheit 5 an dem Oszillator 15 bereitgestellten Gleichspannung ist. 
 
Das Radarger'a't 3, 4 umfasst ausserdem einen Emp'a'nger 16. Dieser Empf'a'nger 16 umfasst eine Empfangsantenneneinheit 17, die im Ausf'u'hrungsbeispiel eine Vielzahl von Patch-Antennen umfassen kann. Die Empfangsantenneneinheit 17 kann ebenfalls eine zweidimensionale Antennenmatrix (Array) sein.
 
Fig. 2 ist eine Prinzipdarstellung des Radarger'a'ts 3, 4. Zum Beispiel 
kann das Radarger'a't 3, 4 auch weitere Empf'a'nger 16 mit jeweils einer Empfangsantenneneinheit 17 beinhalten; das Radarger'a't 3, 4 kann gleichfalls mehrere Sendeantenneneinheiten 13 beinhalten.
【発明を実施するための形態】
【００３３】
  図１に示す
自動車１は、運転者支援デバイス２を備え、
運転者支援デバイス２は、第１のレーダ３と第２のレーダ４とを備えている。第１のレーダ３は、後部バンパの左側角に配置され、第２のレーダ４は、同じバンパの右側角に配置されている。第１および第２のレーダ３、４は、周波数変調連続波レーダ（ＦＭＣＷレーダ）である。
【００３４】
  
第１および第２のレーダ３、４は、信号処理デバイス５に結合している。
【００３５】
  
第１のレーダ３は、第１の検出エリア７を有する。検出エリア７は、水平方向に方位角範囲αで画定され、これは、図１では２つの線７ａ、７ｂによって境界が決められている。それに対応して、第２のレーダ４は、検出エリア８を有し、これは、具体的には水平方向に、対応した方位角範囲αで画定される。方位角範囲αは、２つの線８ａ、８ｂによって境界が決められている。方位角範囲αは、典型的な実施形態では約１７０°である。レーダ３、４の検出エリア７、８は、互いに交差しており、従って、オーバーラップエリア９が生ずる。このオーバーラップエリア９は、線７ｂ、８ｂによって角度の境界が決められている。典型的な実施形態では、オーバーラップエリア９の開口角βは、約７０°である。
【００３６】
  
レーダ３、４は、それぞれ自分の検出エリア７、８の中の物体の位置判定を行うことができる。
【００３７】
  図２は、
信号処理ユニット５を含む単一のレーダ３、４
レーダ３、４は、送信アンテナユニット１３を備えている。送信アンテナユニット１３は、アンテナ行列（アレイ）であってよく、複数のパッチアンテナを備えることができる。
【００３８】
  局部発振器１５は、信号処理ユニット５によって制御される。１つの例として、発振器１５は、電圧制御発振器であり、これは、ＤＣ電圧の振幅に依存した周波数の送信信号Ｓ0を生成する。このＤＣ電圧は、信号処理ユニット５によって発振器１５に与えられる。
【００３９】
  
レーダ３、４は、受信機１６を更に備える。この受信機１６は、受信機アンテナユニット１７を備える。受信機アンテナユニット１７は、典型的な実施形態では、複数のパッチアンテナを備えることができる。受信アンテナユニット１７は、同様に２次元のアンテナ行列（アレイ）であってよい。
【００４０】
  図２は、レーダ３、４の概略を示している。１つの例として、
レーダ３、４はまた、更なる受信機１６を含むこともでき、各受信機は、受信アンテナユニット１７を有する。レーダ３、４は、同様に、複数の送信アンテナユニット１３を含むことができる。
（ウ）「Die Funktionsweise der Radarger'a'te 3, 4 wird nachfolgend n'a'her beschrieben: 
 
Die Sendeantenneneinheit 13, und genauer gesagt die Speiseschaltung 14, kann so gesteuert werden, dass sie nacheinander verschiedene Teilbereiche A, B, C, D, E, F, G, H des Erfassungsbereichs 7 beleuchtet. Zum Beispiel kann dazu eine Sendekeule der Sendeantenneneinheit 13 elektronisch in horizontaler Richtung geschwenkt werden (nach dem Phase-Array-Prinzip). Die Empfangsantenneneinheit 17 kann in diesem Fall in horizontaler Richtung eine breite Empfangscharakteristik aufweisen, mit der der gesamte Erfassungsbereich 7 abgedeckt wird. Andere Ausgestaltungen k'o'nnen alternativ oder erg'a'nzend schmale Empfangswinkelbereiche in Verbindung mit breiten Sendekeulen realisieren.
 
In Fig. 1 sind der 'U'bersicht halber lediglich 
die Teilbereiche A bis H des Erfassungsbereichs 7 des ersten Radarger'a'ts 3 dargestellt. Entsprechend ist hier auch der Erfassungsbereich 8 des Radarger'a'ts 4 in mehrere Teilbereiche unterteilt, die durch das Radarger'a't 4 nacheinander erfasst werden. Wenngleich sich die weitere Beschreibung lediglich auf das Radarger'a't 3 bezieht, entspricht die Funktionsweise des Radarger'a'ts 4 der des Radarger'a'ts 3.
 
In einem einzelnen Messzyklus werden die Teilbereiche A bis H durch das Radarger'a't 3 nacheinander erfasst. In einem einzelnen Messzyklus sendet das Radarger'a't 3 f'u'r jeden Teilbereich A bis H (also pro Beam) separat jeweils eine vorbestimmte Folge von frequenzmodulierten Signalpulsen (Chirps). Also sendet das Radarger'a't 3 pro Messzyklus und pro Teilbereich A bis H jeweils eine Folge von frequenzmodulierten Signalpulsen. Und zwar sendet das Radarger'a't 3 jeweils einen Block von 16 bis 64 frequenzmodulierten Signalpulsen.
-  eine Zeitdauer TChirp eines einzelnen frequenzmodulierten Signalpulses, 
-  eine Zeitdauer TPause  einer Pause zwischen den einzelnen Signalpulsen 23,
-  eine Anzahl NChirp von Signalpulsen innerhalb eines Blocks, 
-  ein Frequenzhub fHub - eine Differenz zwischen einer oberen Frequenz fE  und einer unteren Frequenz fA , 
-  eine mittlere Frequenz f0  = 24 GHz. 」 （第１３頁第７行〜第１４頁第６行）（当審訳：
【００４１】
  次に、レーダ３、４を動作させる方法を、より詳細に説明する。
【００４２】
  
送信アンテナユニット１３と、さらに正確には、給電回路１４とは、検出エリア７の異なるサブエリアＡ、Ｂ、Ｃ、Ｄ、Ｅ、Ｆ、Ｇ、Ｈを順次に連続して照らすことができるように制御することができる。１つの例として、送信アンテナユニット１３の送信ローブは、水平方向に電子的に指向性を向けることができる（フェーズドアレイ原理に基づいて）。
受信アンテナユニット１７は、水平方向に広い受信特性を有することができ、検出エリア７の全域をカバーすることができる。更に、代替として、または追加的に、広い送信ローブと連携させて、狭い受信角度範囲にするように工夫することもできる。
【００４３】
  明白にするために、図１では、
第１のレーダ３の検出エリア７のサブエリアＡ〜Ｈだけを示している。この場合には、レーダ４の検出エリア８は、それに対応して、やはり複数のサブエリアに分割されており、これらのサブエリアは、レーダ４によって順次に連続的にカバーされる。以下の記述はレーダ３だけに関連して説明するが、レーダ４の操作の方法も、レーダ３の操作の方法に対応している。
【００４４】
  
サブエリアＡ〜Ｈは、単一の測定サイクルの中で、レーダ３によって連続的にカバーされる。レーダ３は、それぞれの場合に、単一の測定サイクルの中で、各サブエリアＡ〜Ｈに対して所定のシーケンスの周波数変調信号パルス（チャープ）を個別に送信する（つまり、ビーム毎に）。従って、レーダ３は、それぞれの場合に、測定サイクル毎に、またサブエリアＡ〜Ｈ毎に１シーケンスの周波数変調信号パルスを送信する。正確に言うと、レーダ３は、それぞれの場合に、１６から６４までの周波数変調信号パルスから成るブロックを送信する。
  −個々の周波数変調信号パルスの継続時間ＴChirp、
  −個々の信号パルス２３の間の空き時間の継続時間ＴPause、
  −１つのブロックの中の信号パルスの数ＮChirp、
  −周波数シフトｆShift（上限周波数ｆEと下限周波数ｆAとの間の差）、
  −中心周波数ｆ0＝２４ＧＨｚ
である。）
（エ）「
Nach einem jeden Messzyklus ermittelt die Signalverarbeitungseinheit 5 jeweils einige Messwerte sowohl f'u'r die Entfernung als auch f'u'r die relative Geschwindigkeit,
【００５６】
  
それぞれの測定サイクルの後に、信号処理ユニット５は、それぞれの場合に、距離および相対速度の両方に対する複数の測定値を判定する。
　上記記載より、次の技術事項を読み取ることができる（段落番号は、当審訳中の段落番号である。）。
ア　段落【００２７】、【００２８】及び【００３３】より、「自動車１に備えられた運転者支援デバイス２であって、運転者支援デバイス２は、自動車の死角範囲に対する監視システム、および／または事故早期警告システム（特に、後方からの衝突に関わる事故）、および／またはＡＣＣ（車間自動制御システム：Ａｄｄｉｔｉｖｅ  Ｃｏｕｒｓｅ  Ｃｏｎｔｒｏｌ）システム）であってよい。」との技術事項を読み取ることができる。
イ　段落【００３３】及び【００３４】より、「運転者支援デバイス２は、第１のレーダ３と第２のレーダ４とを備えており、第１のレーダ３は、後部バンパの左側角に配置され、第２のレーダ４は、同じバンパの右側角に配置され、第１および第２のレーダ３、４は、周波数変調連続波レーダ（ＦＭＣＷレーダ）であり、第１および第２のレーダ３、４は、信号処理デバイス５に結合している。」との技術事項を読み取ることができる。
ウ　段落【００３５】及び【００３６】より、「第１のレーダ３は、第１の検出エリア７を有し、検出エリア７は、水平方向に方位角範囲αで画定され、これは、２つの線７ａ、７ｂによって境界が決められ、それに対応して、第２のレーダ４は、検出エリア８を有し、これは、具体的には水平方向に、対応した方位角範囲αで画定され、方位角範囲αは、２つの線８ａ、８ｂによって境界が決められ、方位角範囲αは、典型的な実施形態では約１７０°であり、レーダ３、４の検出エリア７、８は、互いに交差しており、従って、オーバーラップエリア９が生じ、このオーバーラップエリア９は、線７ｂ、８ｂによって角度の境界が決められ、典型的な実施形態では、オーバーラップエリア９の開口角βは、約７０°であり、レーダ３、４は、それぞれ自分の検出エリア７、８の中の物体の位置判定を行うことができる。」との技術事項を読み取ることができる。
エ　段落【００３７】、 【００３９】及び【００４０】より、「信号処理ユニット５を含む単一のレーダ３、４は、送信アンテナユニット１３を備え、送信アンテナユニット１３は、アンテナ行列（アレイ）であってよく、複数のパッチアンテナを備えることができ、レーダ３、４は、受信機１６を更に備え、この受信機１６は、受信機アンテナユニット１７を備え、受信機アンテナユニット１７は、複数のパッチアンテナを備えることができ、受信アンテナユニット１７は、同様に２次元のアンテナ行列（アレイ）であってよく、レーダ３、４はまた、更なる受信機１６を含むこともでき、各受信機は、受信アンテナユニット１７を有し、レーダ３、４は、同様に、複数の送信アンテナユニット１３を含むことができる。」との技術事項を読み取ることができる。
オ　段落【００４２】、【００４３】より、「送信アンテナユニット１３と、給電回路１４とは、検出エリア７の異なるサブエリアＡ、Ｂ、Ｃ、Ｄ、Ｅ、Ｆ、Ｇ、Ｈを順次に連続して照らすことができるように制御することができ、送信アンテナユニット１３の送信ローブは、水平方向に電子的に指向性を向けることができ（フェーズドアレイ原理に基づいて）、レーダ４の検出エリア８は、それ（第１のレーダ３の検出エリア７のサブエリアＡ〜Ｈ）に対応して、やはり複数のサブエリアに分割されており、これらのサブエリアは、レーダ４によって順次に連続的にカバーされる。」との技術事項を読み取ることができる。
カ　段落【００４３】及び【００４４】より、「サブエリアＡ〜Ｈは、単一の測定サイクルの中で、レーダ３によって連続的にカバーされ、レーダ３は、それぞれの場合に、単一の測定サイクルの中で、各サブエリアＡ〜Ｈに対して所定のシーケンスの周波数変調信号パルス（チャープ）を個別に送信し（つまり、ビーム毎に）、従って、レーダ３は、それぞれの場合に、測定サイクル毎に、またサブエリアＡ〜Ｈ毎に１シーケンスの周波数変調信号パルスを送信し、レーダ４の操作の方法も、レーダ３の操作の方法に対応している。」との技術事項を読み取ることができる。
キ　段落【００５６】には、「それぞれの測定サイクルの後に、信号処理ユニット５は、それぞれの場合に、距離および相対速度の両方に対する複数の測定値を判定する。」との技術事項が記載されている。
　以上の技術事項及び図面の記載を総合勘案すると、引用例１には、次の発明（以下、「引用発明１」という。）が記載されているものと認められる。
「自動車１に備えられた運転者支援デバイス２であって、運転者支援デバイス２は、自動車の死角範囲に対する監視システム、および／または事故早期警告システム（特に、後方からの衝突に関わる事故）、および／またはＡＣＣ（車間自動制御システム：Ａｄｄｉｔｉｖｅ  Ｃｏｕｒｓｅ  Ｃｏｎｔｒｏｌ）システム）であってよく、
　運転者支援デバイス２は、第１のレーダ３と第２のレーダ４とを備えており、第１のレーダ３は、後部バンパの左側角に配置され、第２のレーダ４は、同じバンパの右側角に配置され、第１および第２のレーダ３、４は、周波数変調連続波レーダ（ＦＭＣＷレーダ）であり、第１および第２のレーダ３、４は、信号処理デバイス５に結合しており、
　第１のレーダ３は、第１の検出エリア７を有し、検出エリア７は、水平方向に方位角範囲αで画定され、これは、２つの線７ａ、７ｂによって境界が決められ、それに対応して、第２のレーダ４は、検出エリア８を有し、これは、具体的には水平方向に、対応した方位角範囲αで画定され、方位角範囲αは、２つの線８ａ、８ｂによって境界が決められ、方位角範囲αは、典型的な実施形態では約１７０°であり、レーダ３、４の検出エリア７、８は、互いに交差しており、従って、オーバーラップエリア９が生じ、このオーバーラップエリア９は、線７ｂ、８ｂによって角度の境界が決められ、典型的な実施形態では、オーバーラップエリア９の開口角βは、約７０°であり、レーダ３、４は、それぞれ自分の検出エリア７、８の中の物体の位置判定を行うことができ、
　信号処理ユニット５を含む単一のレーダ３、４は、送信アンテナユニット１３を備え、送信アンテナユニット１３は、アンテナ行列（アレイ）であってよく、複数のパッチアンテナを備えることができ、レーダ３、４は、受信機１６を更に備え、この受信機１６は、受信機アンテナユニット１７を備え、受信機アンテナユニット１７は、複数のパッチアンテナを備えることができ、受信アンテナユニット１７は、同様に２次元のアンテナ行列（アレイ）であってよく、レーダ３、４はまた、更なる受信機１６を含むこともでき、各受信機は、受信アンテナユニット１７を有し、レーダ３、４は、同様に、複数の送信アンテナユニット１３を含むことができ、
　送信アンテナユニット１３と、給電回路１４とは、検出エリア７の異なるサブエリアＡ、Ｂ、Ｃ、Ｄ、Ｅ、Ｆ、Ｇ、Ｈを順次に連続して照らすことができるように制御することができ、送信アンテナユニット１３の送信ローブは、水平方向に電子的に指向性を向けることができ（フェーズドアレイ原理に基づいて）、レーダ４の検出エリア８は、それ（第１のレーダ３の検出エリア７のサブエリアＡ〜Ｈ）に対応して、やはり複数のサブエリアに分割されており、これらのサブエリアは、レーダ４によって順次に連続的にカバーされ、
　サブエリアＡ〜Ｈは、単一の測定サイクルの中で、レーダ３によって連続的にカバーされ、レーダ３は、それぞれの場合に、単一の測定サイクルの中で、各サブエリアＡ〜Ｈに対して所定のシーケンスの周波数変調信号パルス（チャープ）を個別に送信し（つまり、ビーム毎に）、従って、レーダ３は、それぞれの場合に、測定サイクル毎に、またサブエリアＡ〜Ｈ毎に１シーケンスの周波数変調信号パルスを送信し、レーダ４の操作の方法も、レーダ３の操作の方法に対応しており、
　それぞれの測定サイクルの後に、信号処理ユニット５は、それぞれの場合に、距離および相対速度の両方に対する複数の測定値を判定する、
　自動車１に備えられた運転者支援デバイス２。」
（３）対比
　本願補正発明と引用発明１とを対比する。
ア　引用例１の段落【００３７】に「典型的な実施形態における送信信号Ｓ0の中心周波数は、２４ＧＨｚである。」と記載されているように、引用発明１における「第１のレーダ３と第２のレーダ４」が、光のように直進性の強い電波、つまり、レーダ光線を送信および受信していることは明らかである。
　よって、引用発明１における「第１のレーダ３と第２のレーダ４」と、これに結合された「信号処理デバイス５」（引用発明１では、「信号処理ユニット５を含む単一のレーダ３、４」とも表現される。）が本願補正発明における「レーダ光線を送信および受信する少なくとも２つのレーダセンサ（４ａ，４ｂ，４ｃ，４ｄ）」に相当する。
イ　引用発明１における「自動車１に備えられた運転者支援デバイス２」は、「第１のレーダ３と第２のレーダ４とを備えており」、「運転者支援デバイスは、自動車の死角範囲に対する監視システム、および／または事故早期警告システム（特に、後方からの衝突に関わる事故）、および／またはＡＣＣ（車間自動制御システム：Ａｄｄｉｔｉｖｅ  Ｃｏｕｒｓｅ  Ｃｏｎｔｒｏｌ）システム）であってよ」いから、本願補正発明における「自動車（２）の周辺状況を監視するための自動車（２）用のレーダシステム（１）」に相当する。
ウ　引用発明１において「自動車１」の前後の軸線が本願補正発明における「自動車１の軸線」に相当するから、引用発明１において「第１のレーダ３は、後部バンパの左側角に配置され、第２のレーダ４は、同じバンパの右側角に配置され」、「第１のレーダ３は、第１の検出エリア７を有し、検出エリア７は、水平方向に方位角範囲αで画定され、これは、２つの線７ａ、７ｂによって境界が決められ、それに対応して、第２のレーダ４は、検出エリア８を有し、これは、具体的には水平方向に、対応した方位角範囲αで画定され、方位角範囲αは、２つの線８ａ、８ｂによって境界が決められ、方位角範囲αは、典型的な実施形態では約１７０°であり、レーダ３、４の検出エリア７、８は、互いに交差しており、従って、オーバーラップエリア９が生じ、このオーバーラップエリア９は、線７ｂ、８ｂによって角度の境界が決められ、典型的な実施形態では、オーバーラップエリア９の開口角βは、約７０°であ」るとされていることと、本願補正発明における「前記少なくとも２つのレーダセンサ（４ａ，４ｂ，４ｃ，４ｄ）がそれぞれ共通の軸線（３）に対して４０°から５０°の間の角度（１００）で配置されて」いることは、「前記少なくとも２つのレーダセンサ（４ａ，４ｂ，４ｃ，４ｄ）がそれぞれ共通の軸線（３）に対して所定の角度で配置されて」いる点で共通する。
エ　引用発明１における「信号処理ユニット５を含む単一のレーダ３、４は、送信アンテナユニット１３を備え、送信アンテナユニット１３は、アンテナ行列（アレイ）であってよく、複数のパッチアンテナを備えることができ、レーダ３、４は、受信機１６を更に備え、この受信機１６は、受信機アンテナユニット１７を備え、受信機アンテナユニット１７は、複数のパッチアンテナを備えることができ、受信アンテナユニット１７は、同様に２次元のアンテナ行列（アレイ）であってよく、レーダ３、４はまた、更なる受信機１６を含むこともでき、各受信機は、受信アンテナユニット１７を有し、レーダ３、４は、同様に、複数の送信アンテナユニット１３を含むことができ」、「送信アンテナユニット１３の送信ローブは、水平方向に電子的に指向性を向けることができ（フェーズドアレイ原理に基づいて）」ることが、本願補正発明における「前記少なくとも２つのレーダセンサ（４ａ，４ｂ，４ｃ，４ｄ）がそれぞれ複数の位相制御式のアンテナを有して」いることに相当する（なお、「複数の位相制御式のアンテナ」が、それぞれの位相が制御される複数のアンテナを行列（アレイ）配置して構成されるフェーズドアレイ・アンテナを意味するのではなく、フェーズドアレイ・アンテナを「複数」備える意味であると解釈しても、引用発明１は、「レーダ３、４は、同様に、複数の送信アンテナユニット１３を含むことができ」、「レーダ３、４はまた、更なる受信機１６を含むこともでき」るのであるから、この点は相違点とはならない。）。
オ　引用発明１の「信号処理ユニット５を含む単一のレーダ３、４」において、「第１のレーダ３」の有する「第１の検出エリア７」の「異なるサブエリアＡ、Ｂ、Ｃ、Ｄ、Ｅ、Ｆ、Ｇ、Ｈ」、及び「第２のレーダ４」の有する「検出エリア８」の「複数のサブエリア」が、本願補正発明における「前記少なくとも２つのレーダセンサ（４ａ，４ｂ，４ｃ，４ｄ）」の有する「視野（５１，５２，５３）」に相当する。
カ　引用発明１における「信号処理ユニット５を含む単一のレーダ３、４」は、「第１のレーダ３は、第１の検出エリア７を有し、検出エリア７は、水平方向に方位角範囲αで画定され、これは、２つの線７ａ、７ｂによって境界が決められ、それに対応して、第２のレーダ４は、検出エリア８を有し、これは、具体的には水平方向に、対応した方位角範囲αで画定され、方位角範囲αは、２つの線８ａ、８ｂによって境界が決められ、方位角範囲αは、典型的な実施形態では約１７０°であ」り、「送信アンテナユニット１３と、給電回路１４とは、検出エリア７の異なるサブエリアＡ、Ｂ、Ｃ、Ｄ、Ｅ、Ｆ、Ｇ、Ｈを順次に連続して照らすことができるように制御することができ、送信アンテナユニット１３の送信ローブは、水平方向に電子的に指向性を向けることができ（フェーズドアレイ原理に基づいて）、レーダ４の検出エリア８は、それ（第１のレーダ３の検出エリア７のサブエリアＡ〜Ｈ）に対応して、やはり複数のサブエリアに分割されており、これらのサブエリアは、レーダ４によって順次に連続的にカバーされ」ることと、本願補正発明における「前記少なくとも２つのレーダセンサ（４ａ，４ｂ，４ｃ，４ｄ）は、前記複数の位相制御式のアンテナが振幅変調及び／又は位相変調によりそれぞれ各レーダセンサ（４ａ，４ｂ，４ｃ，４ｄ）の主投射方向（５２ａ）に対して相対的に−６０°から＋６０°の角度（１０１）に旋回可能な視野（５１，５２，５３）を有するように構成されて」いることとは、「前記少なくとも２つのレーダセンサ（４ａ，４ｂ，４ｃ，４ｄ）は、前記複数の位相制御式のアンテナが振幅変調及び／又は位相変調によりそれぞれ各レーダセンサ（４ａ，４ｂ，４ｃ，４ｄ）の投射方向に１２０゜以上となる角度に旋回可能な視野（５１，５２，５３）を有するように構成されて」いる点で共通する。
キ　引用発明１に示された、フェーズドアレイ原理に基づいて、送信ローブを水平方向に電子的に指向性を向けることができるアンテナ、つまりフェーズドアレイ・アンテナは、機械的な走査アンテナに比べ、「概ね同時」といえる程度の短時間に走査が可能であることは、技術常識である。
　よって、引用発明１において、「送信アンテナユニット１３と、給電回路１４とは、検出エリア７の異なるサブエリアＡ、Ｂ、Ｃ、Ｄ、Ｅ、Ｆ、Ｇ、Ｈを順次に連続して照ら」し、「サブエリアＡ〜Ｈは、単一の測定サイクルの中で、レーダ３によって連続的にカバーされ」、「レーダ４の操作の方法も、レーダ３の操作の方法に対応して」いることが、本願補正発明における「前記レーダセンサ（４ａ，４ｂ，４ｃ，４ｄ）のうちの少なくとも１つがこれらのレーダセンサの方向に関連して少なくとも２つの異なる視野を概ね同時に前記複数の位相制御式のアンテナに提供するように構成されて」いることに相当するといえる。
ク  引用発明１において「送信アンテナユニット１３と、給電回路１４とは、検出エリア７の異なるサブエリアＡ、Ｂ、Ｃ、Ｄ、Ｅ、Ｆ、Ｇ、Ｈを順次に連続して照らすことができるように制御することができ」、「レーダ４の検出エリア８は、それ（第１のレーダ３の検出エリア７のサブエリアＡ〜Ｈ）に対応して、やはり複数のサブエリアに分割されており、これらのサブエリアは、レーダ４によって順次に連続的にカバーされる」から、引用発明１の「信号処理ユニット５を含む単一のレーダ３、４」が、かかる「制御」を行う装置を備えていることが、本願補正発明１における「少なくとも１つの前記レーダセンサ（４ａ，４ｂ，４ｃ，４ｄ）が有する前記複数の位相制御式のアンテナのそれぞれの視野（５１，５２，５３）を制御するための制御装置（Ｓ）が配置されて」いることに相当する。
ケ　上記カ及びクにおける対比を踏まえると、引用発明１における、「制御」を行う装置が「送信アンテナユニット１３と、給電回路１４とは、送信アンテナユニット１３と、給電回路１４とは、検出エリア７の異なるサブエリアＡ、Ｂ、Ｃ、Ｄ、Ｅ、Ｆ、Ｇ、Ｈを順次に連続して照らすことができるように制御することができ」、「レーダ４の検出エリア８は、それ（第１のレーダ３の検出エリア７のサブエリアＡ〜Ｈ）に対応して、やはり複数のサブエリアに分割されており、これらのサブエリアは、レーダ４によって順次に連続的にカバーされる」よう構成されていることと、本願補正発明１における「前記制御装置（Ｓ）は、少なくとも１つのレーダセンサ（４ａ，４ｂ，４ｃ，４ｄ）が有する前記複数の位相制御式のアンテナのそれぞれの前記視野（５１，５２，５３）を少なくとも１つのレーダセンサ（４ａ，４ｂ，４ｃ，４ｄ）の主投射方向（５２ａ）に関連して＋４５°から０°、０°から−４５°の間で振幅変調及び／又は位相変調により旋回させて調節するように構成されて」いることとは、「前記制御装置（Ｓ）は、少なくとも１つのレーダセンサ（４ａ，４ｂ，４ｃ，４ｄ）が有する前記複数の位相制御式のアンテナのそれぞれの前記視野（５１，５２，５３）を少なくとも１つのレーダセンサ（４ａ，４ｂ，４ｃ，４ｄ）の投射方向に所定の範囲で振幅変調及び／又は位相変調により旋回させて調節するように構成されて」いる点で共通する。
コ　上記カ、ク及びケにおける対比を踏まえると、引用発明１における「信号処理ユニット５を含む単一のレーダ３、４」の備える「送信アンテナユニット１３の送信ローブ」を「水平方向に電子的に指向性を向けることができ（フェーズドアレイ原理に基づいて）」、「レーダ４の検出エリア８は、それ（第１のレーダ３の検出エリア７のサブエリアＡ〜Ｈ）に対応して、やはり複数のサブエリアに分割されており、これらのサブエリアは、レーダ４によって順次に連続的にカバーされ」、「レーダ４の検出エリア８は、それ（第１のレーダ３の検出エリア７のサブエリアＡ〜Ｈ）に対応して、やはり複数のサブエリアに分割されており、これらのサブエリアは、レーダ４によって順次に連続的にカバーされ」ることが、本願補正発明における「少なくとも１つのレーダセンサ（４ａ，４ｂ，４ｃ，４ｄ）が有する前記複数の位相制御式のアンテナがそれぞれのレーダセンサ（４ａ，４ｂ，４ｃ，４ｄ）の投射方向（５２ａ）に異なる角度（１０１）に構成された視野を有している」ことに相当する。
サ　以上の対比を踏まえると、引用発明１における、「自動車１に備えられた運転者支援デバイス２」は、「第１のレーダ３と第２のレーダ４とを備えており」、「運転者支援デバイスは、自動車の死角範囲に対する監視システム、および／または事故早期警告システム（特に、後方からの衝突に関わる事故）、および／またはＡＣＣ（車間自動制御システム：Ａｄｄｉｔｉｖｅ  Ｃｏｕｒｓｅ  Ｃｏｎｔｒｏｌ）システム）であってよ」いから、次の相違点を除いて、本願補正発明における「自動車（２）のためのレーダシステム（１）」に相当する。
　以上より、本願補正発明と引用発明１との一致点、相違点は次のとおりである。
（一致点）
「レーダ光線を送信および受信する少なくとも２つのレーダセンサ（４ａ，４ｂ，４ｃ，４ｄ）を有する自動車（２）の周辺状況を監視するための自動車（２）用のレーダシステム（１）において、前記少なくとも２つのレーダセンサ（４ａ，４ｂ，４ｃ，４ｄ）がそれぞれ共通の軸線（３）に対して所定の角度で配置されていて、前記少なくとも２つのレーダセンサ（４ａ，４ｂ，４ｃ，４ｄ）がそれぞれ複数の位相制御式のアンテナを有しており、前記少なくとも２つのレーダセンサ（４ａ，４ｂ，４ｃ，４ｄ）は、前記複数の位相制御式のアンテナが振幅変調及び／又は位相変調によりそれぞれ各レーダセンサ（４ａ，４ｂ，４ｃ，４ｄ）の投射方向に１２０゜以上となる角度に旋回可能な視野（５１，５２，５３）を有するように構成されており、
　前記レーダセンサ（４ａ，４ｂ，４ｃ，４ｄ）のうちの少なくとも１つがこれらのレーダセンサの方向に関連して少なくとも２つの異なる視野を概ね同時に前記複数の位相制御式のアンテナに提供するように構成されており、
　少なくとも１つの前記レーダセンサ（４ａ，４ｂ，４ｃ，４ｄ）が有する前記複数の位相制御式のアンテナのそれぞれの視野（５１，５２，５３）を制御するための制御装置（Ｓ）が配置されており、
　前記制御装置（Ｓ）は、少なくとも１つのレーダセンサ（４ａ，４ｂ，４ｃ，４ｄ）が有する前記複数の位相制御式のアンテナのそれぞれの前記視野（５１，５２，５３）を少なくとも１つのレーダセンサ（４ａ，４ｂ，４ｃ，４ｄ）の投射方向に所定の範囲で振幅変調及び／又は位相変調により旋回させて調節するように構成されており、
　少なくとも１つのレーダセンサ（４ａ，４ｂ，４ｃ，４ｄ）が有する前記複数の位相制御式のアンテナがそれぞれのレーダセンサ（４ａ，４ｂ，４ｃ，４ｄ）の投射方向に異なる角度（１０１）に構成された視野を有している
　ことを特徴とする自動車（２）のためのレーダシステム（１）。」
＜相違点ア＞
　本願補正発明では、レーダセンサ（４ａ，４ｂ，４ｃ，４ｄ）を共通の軸線（３）に対して配置する角度が、「４０°から５０°の間」とされているのに対し、引用発明１では、「信号処理ユニット５を含む単一のレーダ３、４」が「自動車１」の前後の軸線に対し、具体的にどのような角度で「配置」されているか、明らかでない点。
＜相違点イ＞
　本願補正発明では、レーダセンサ（４ａ，４ｂ，４ｃ，４ｄ）の旋回可能な視野（５１，５２，５３）が、「主投射方向（５２ａ）に対して相対的に−６０°から＋６０°の角度（１０１）」とされているのに対し、引用発明１では、「送信ローブ」を「水平方向に電子的に指向性を向けることができ（フェーズドアレイ原理に基づいて）」る「送信アンテナユニット１３」を備えた「信号処理ユニット５を含む単一のレーダ３、４」の「検出エリア７」及び「検出エリア８」の「水平方向」の「方位角範囲α」が、典型的な実施形態では「約１７０°」とされている点。
＜相違点ウ＞
　本願補正発明では、制御装置（Ｓ）がアンテナの視野（５１，５２，５３）を旋回させて調節する範囲が、「レーダセンサ（４ａ，４ｂ，４ｃ，４ｄ）の主投射方向（５２ａ）に関連して＋４５°から０°、０°から−４５°の間」とされているのに対し、引用発明１における、「検出エリア７の異なるサブエリアＡ、Ｂ、Ｃ、Ｄ、Ｅ、Ｆ、Ｇ、Ｈを順次に連続して照らすことができるように制御する」装置では、「（フェーズドアレイ原理に基づいて）」、「送信アンテナユニット１３」の「送信ローブ」を「水平方向に電子的に指向性を向け」ているものの、「水平方向に電子的に指向性を向け」る角度範囲が示されていない点。
＜相違点エ＞
　本願補正発明では、複数の位相制御式のアンテナが有している視野が、「レーダセンサ（４ａ，４ｂ，４ｃ，４ｄ）の主投射方向（５２ａ）」に対して相対的に異なる角度（１０１）に構成されているのに対し、引用発明１では「送信アンテナユニット１３」の「送信ローブ」は、「（フェーズドアレイ原理に基づいて）」を「水平方向に電子的に指向性を向け」られているものの、「検出エリア７の異なるサブエリアＡ、Ｂ、Ｃ、Ｄ、Ｅ、Ｆ、Ｇ、Ｈを順次に連続して照らす」「送信ローブ」の水平方向の角度は、「送信アンテナユニット１３」の主投射方向（５２ａ）」に対する相対的に異なる角度として規定されていない点。
（４）判断
　そこで、上記相違点について検討する。なお、相違点相互の関係に鑑み、まず＜相違点エ＞について判断する。
ア　＜相違点エ＞について
　例えば、特開平８−９７７５８号公報（以下、「周知例」という。）に、
「【０００１】
【産業上の利用分野】この発明は、目的の対象物に対して電波を送信または受信する機能を有する、例えばレーダあるいは通信等の分野で使用されるフェーズドアレイアンテナに関するものである。
【０００２】【従来の技術】図７は例えば「アンテナ工学ハンドブック」（オーム社）に示された従来のフェーズドアレイアンテナを示すブロック図であり、図において、１ｉ（ｉ＝１〜ｎ）は素子アンテナ、２ｉ（ｉ＝１〜ｎ）は素子アンテナ１ｉからの受信信号、あるいは素子アンテナ１ｉへ供給する送信信号の位相量を変化させるための移相器、３は素子アンテナ１ｉで受信した信号を合成し、また素子アンテナ１ｉへ供給する信号を分配する分配合成回路、４は移相器２ｉの位相を制御するための位相制御回路、５はフェーズドアレイアンテナのビームを所定の方向に向けるための角度指令回路である。」
「【０００６】この時、ビーム指向方向Ｓが、フェーズドアレイアンテナのビーム中心すなわちこのフェーズドアレイアンテナの法線方向ベクトルｎから離れてくると、フェーズドアレイアンテナのビーム指向方向に対する投影面積の低下及び素子アンテナ１ｉの素子パターンによって、利得の低下ΔＧが生じ、近似的に数２で表される。」
　と記載されているように、「フェーズドアレイアンテナは、ビーム中心（フェーズドアレイアンテナの法線方向）（本願補正発明でいう、「主投射方向（５２ａ）」）の利得が最も高く、ビーム中心（フェーズドアレイアンテナの法線方向）から離れてくると（本願補正発明の用語で言い換えれば、「主投射方向（５２ａ）」に対する「相対的に異なる角度（１０１）」が大きくなると）利得の低下が生じること」は周知の事項である。
　よって、引用発明１における、「（フェーズドアレイ原理に基づいて）」「水平方向に電子的に指向性を向け」るアンテナ、すなわちフェーズドアレイアンテナにおいて、「検出エリア７の異なるサブエリアＡ、Ｂ、Ｃ、Ｄ、Ｅ、Ｆ、Ｇ、Ｈを順次に連続して照らす」「送信ローブ」の水平方向の角度を、「送信アンテナユニット１３」のビーム中心（フェーズドアレイアンテナの法線方向）に対する相対的に異なる角度として規定し、上記＜相違点エ＞に係る本願補正発明の構成とすることは、当業者が容易になし得たことである。
イ　＜相違点ア＞ないし＜相違点ウ＞について
　次に、＜相違点ア＞ないし＜相違点ウ＞に示された角度範囲は相互に関連しているから、＜相違点ア＞ないし＜相違点ウ＞についてまとめて判断する。
（ア）上記「ア」で述べたとおり、レーダに用いられるフェーズドアレイアンテナは、ビーム中心（フェーズドアレイアンテナの法線方向）（本願補正発明でいう、「主投射方向（５２ａ）」）の利得が最も高く、ビーム中心（フェーズドアレイアンテナの法線方向）から離れてくると利得の低下が生じるものである。
　よって、フェーズドアレイアンテナの上記特性を踏まえ、検出エリア内での利得の低下を少なくするため、引用発明１における、「信号処理ユニット５を含む単一のレーダ３、４」の「検出エリア７」及び「検出エリア８」の「水平方向」の「方位角範囲α」を、単一のレーダ３、４のビーム中心（フェーズドアレイアンテナの法線方向）に対し−α／２から＋α／２の角度範囲とすべきことは、レーダの設計にあたり、当業者が考慮すべき事項である。
（イ）同様に、引用発明１における「検出エリア７の異なるサブエリアＡ、Ｂ、Ｃ、Ｄ、Ｅ、Ｆ、Ｇ、Ｈを順次に連続して照らすことができるように制御する」装置において、「（フェーズドアレイ原理に基づいて）」、「送信アンテナユニット１３」の「送信ローブ」を「水平方向に電子的に指向性を向け」る角度範囲を、「送信ローブ」の検知エリアの広がり等を考慮して、「検出エリア７」及び「検出エリア８」が「送信アンテナユニット１３」のビーム中心（フェーズドアレイアンテナの法線方向）に対し、−α／２から＋α／２の角度範囲となるような、所定の角度範囲とすることも、レーダの設計にあたり、当業者が考慮すべき事項である。
（ウ）さらに、引用発明１の「後部バンパの左側角」に「第１のレーダ３」を「配置」し、「同じバンパの右側角」に「第２のレーダ４」を配置するにあたって、「信号処理ユニット５を含む単一のレーダ３、４」の「自動車１」の前後の軸線に対する角度は、自動車の死角範囲対する監視及び後方からの衝突に関わる早期警告のため、レーダ３、４の検出エリア７、８が、互いに交差する角度とすべきことも、レーダの設計にあたり、当業者が考慮すべき事項である。
　よって、引用発明１におけるレーダの設計にあたり、上記（ア）ないし（ウ）で述べた事項を考慮し、
（ア’）引用発明１における「検出エリア７」及び「検出エリア８」の「水平方向」の「方位角範囲α」（典型的な実施形態では「約１７０°」）をα＝１２０゜とし、単一のレーダ３、４のビーム中心（フェーズドアレイアンテナの法線方向）に対し−６０゜から＋６０゜の角度範囲とし、上記＜相違点イ＞に係る本願補正発明の構成とすること、
（イ’）「検出エリア７の異なるサブエリアＡ、Ｂ、Ｃ、Ｄ、Ｅ、Ｆ、Ｇ、Ｈを順次に連続して照らすことができるように制御する」装置において、「（フェーズドアレイ原理に基づいて）」、「送信アンテナユニット１３」の「送信ローブ」を「水平方向に電子的に指向性を向け」る角度範囲を、「送信ローブ」の検知エリアの広がり等を考慮して、−４５゜から＋４５゜の角度範囲し、上記＜相違点ウ＞に係る本願補正発明の構成とすること、
（ウ’）さらに、引用発明１の「後部バンパの左側角」に「第１のレーダ３」を「配置」し、「同じバンパの右側角」に「第２のレーダ４」を配置するにあたり、レーダ３、４の検出エリア７、８が互いに交差するよう、「信号処理ユニット５を含む単一のレーダ３、４」が「自動車１」の前後の軸線に対し、「４０°から５０°の間」の角度で配置し、上記＜相違点ア＞に係る本願補正発明の構成とすること、
は、当業者が容易になし得たことである。
　また、上記各相違点を総合的に勘案しても、本願補正発明に係る作用効果は、引用発明１、周知の事項、及び周知の事項に基づく設計から予測される範囲内のものにすぎず、格別顕著であるとすることはできない。
　なお、本願補正発明における「１つのレーダセンサ（４ａ，４ｂ，４ｃ，４ｄ）が有する前記複数の位相制御式のアンテナ」については、それぞれの位相が制御される複数のアンテナを行列（アレイ）配置して構成される「フェーズドアレイアンテナ」を、１つのレーダセンサ（４ａ，４ｂ，４ｃ，４ｄ）が有することを意味するものと解釈したが、「１つのレーダセンサ（４ａ，４ｂ，４ｃ，４ｄ）が有する前記複数の位相制御式のアンテナ」との記載を、１つのレーダセンサ（４ａ，４ｂ，４ｃ，４ｄ）が、「フェーズドアレイアンテナ」を複数有している、という意味に解釈した場合について、念のため検討する。
　引用発明１には「レーダ３、４はまた、更なる受信機１６を含むこともでき、各受信機は、受信アンテナユニット１７を有し、レーダ３、４は、同様に、複数の送信アンテナユニット１３を含むことができ」ることが示されており、このようにフェーズドアレイアンテナを複数組み合わせて用いる際、これらのなかから最も利得の高くなるフェーズドアレイアンテナを選択して、切り替えることも、例えば上記周知例の段落【０００９】に「従って、広い角度範囲にわたってビームを走査する必要がある場合には、図８に示すように複数個のフェーズドアレイアンテナを配置し、これらのなかから最も利得の高くなるフェーズドアレイアンテナを選択して、切り替える切替回路１０を設けた構成とする」と記載されているとおり、周知の事項であるから、本願補正発明における「１つのレーダセンサ（４ａ，４ｂ，４ｃ，４ｄ）が有する前記複数の位相制御式のアンテナ」との記載を、１つのレーダセンサ（４ａ，４ｂ，４ｃ，４ｄ）が、「フェーズドアレイアンテナ」を複数有している、という意味に解釈しても、本願補正発明は、引用発明１及び周知の事項に基づいて、当業者が容易に発明をすることができたものである。
　よって、本願補正発明は、引用発明１、周知の事項に基づいて、当業者か容易に発明をすることができたものであるから、特許法第２９条第２項の規定により、特許出願の際独立して特許を受けることができないものである。
（５）本件補正についてのむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明について
１　本願発明
　平成２８年１月８日にされた手続補正は、上記のとおり却下されたので、本願の請求項１ないし６に係る発明は、平成２７年４月３日付けの手続補正により補正された特許請求の範囲の請求項１ないし６に記載された事項により特定されるとおりのものであるところ、その請求項１を引用する請求項３に係る発明（以下、「本願発明」という。）は、前記第２の［理由］「１」「（２）」に記載したとおりのものである。
２　引用刊行物
　原査定の拒絶の理由で引用された引用例１及びその記載事項は、前記第２の［理由］「２」「（２）」に記載したとおりである。
３　対比・判断
　本願発明は、前記第２の［理由］「２」で検討した本願補正発明から、第２の［理由］「２」の「（限定１）」ないし「（限定３）」に係る限定を削除したものである。
　そうすると、本願発明の発明特定事項を全て含み、さらに他の事項を追加したものに相当する本願補正発明が、前記第２の［理由］「２」「（３）、（４）」に記載したとおり、引用発明１及び周知の事項に基づいて、当業者が容易に発明をすることができたものであるから、本願発明も、同様の理由により、引用発明１及び周知の事項に基づいて、当業者が容易に発明をすることができたものである。
４　むすび
　以上のとおり、本願発明は、特許法第２９条第２項の規定により特許を受けることができないから、他の請求項に係る発明について検討するまでもなく本願は拒絶すべきものである。
　よって、結論のとおり審決する。